(57)【要約】      （修正有）【課題】フレームの開口を閉塞するために容易にフレームに取り付けることができ、且つ開口を開放するために容易にフレームから取り外すことができるオーブン用の蓋を提供する。【解決手段】蓋１０は、オーブンの垂直方向の成分を含む方向に延びた筒状のフレーム１１０に取り付け可能である。蓋１０は、蓋本体１１と、第１係合片１２ａと、第２係合片１２ｂとを備えている。蓋本体１１は、フレーム１１０に設けられた開口を閉塞可能な構成となっている。第１係合片１２ａ及び第２係合片１２ｂは、蓋本体１１に設けられている。第１係合片１２ａがフレーム１１０の開口の第１縁１１１ａを係合し、且つ第２係合片１２ｂがフレーム１１０の開口の第１縁１１１ａに相対する第２縁１１１ｂに係合することによって、蓋本体１１がフレーム１１０の開口を閉塞した状態で維持される構成となっている。【選択図】図２
2018021728.tif 000002
【特許請求の範囲】
【請求項１】
オーブンの垂直方向の成分を含む方向に延びた筒状であるフレームに取り付け可能なオーブン用の蓋であって、
前記フレームに設けられた開口を閉塞可能な蓋本体と、
前記蓋本体に設けられた第１係合片及び第２係合片とを備えており、
前記第１係合片が前記フレームの前記開口の第１縁を係合し、且つ前記第２係合片が前記フレームの前記開口の前記第１縁に相対する第２縁を係合することによって、前記蓋本体が前記フレームの前記開口を閉塞した状態で維持されるオーブン用の蓋。
【請求項２】
請求項１記載のオーブン用の蓋において、
前記蓋本体は、前記第１縁に当接可能な第１端部と、前記第２縁に当接可能な第２端部とを有しており、
前記第１係合片は、前記蓋本体の前記第１端部に設けられており且つ前記蓋本体の前記第１端部の長手方向に対して交差する方向に延びた片持ち梁状であり、前記第１係合片と前記蓋本体の前記第１端部との間で前記フレームの前記第１縁を挟持可能になっており、
前記第２係合片は、前記蓋本体の前記第２端部に設けられており且つ前記蓋本体の前記第２端部の長手方向に対して交差する方向に延びた片持ち梁状であり、前記第２係合片と前記蓋本体の前記第２端部との間で前記フレームの前記第２縁を挟持可能になっているオーブン用の蓋。    
【請求項３】
請求項１記載のオーブン用の蓋において、
前記蓋本体は、前記第１縁に当接又は間隙を有して対向可能な第１端部と、前記第２縁に当接又は間隙を有して対向可能な第２端部とを有しており、
前記第１係合片は、前記蓋本体の前記第１端部に設けられた略Ｕ字状のフックであり、  前記第２係合片は、前記蓋本体の前記第２端部に設けられた略Ｕ字状のフックであるオーブン用の蓋。    
【請求項４】
請求項２又は３記載のオーブン用の蓋において、
前記第１係合片は、自由端部を有しており、前記第１係合片の自由端部が前記蓋本体の前記第１端部よりも突出しており、
前記第２係合片は、自由端部を有しており、前記第２係合片の自由端部が前記蓋本体の前記第２端部よりも突出しているオーブン用の蓋。
【請求項５】
請求項２〜４の何れかに記載のオーブン用の蓋において、
前記第１係合片は、自由端部を有しており、
前記第２係合片は、自由端部を有しており、
前記第１係合片及び前記第２係合片の少なくとも一方の係合片は、当該一方の係合片の前記自由端部が前記蓋本体から離れるように弾性変形可能であるオーブン用の蓋。
【請求項６】
請求項５記載のオーブン用の蓋において、
前記第１係合片及び前記第２係合片の少なくとも一方の係合片の前記自由端部は、前記蓋本体側に折り曲げ又は湾曲しているオーブン用の蓋。
【請求項７】
請求項２〜６の何れかに記載のオーブン用の蓋において、
前記第２係合片は、複数であって、第１方向に間隔をあけて前記蓋本体の前記第２端部に設けられており、前記第１方向は、前記フレームの前記第２縁の長手方向であり、
前記第２係合片は、前記第１方向の一方の最も端に位置する一方の端の第２係合片と、前記第１方向の他方の最も端に位置する他方の端の第２係合片とを含んでおり、
前記一方の端の第２係合片の前記第１方向の一方の端から前記他方の端の第２係合片の前記第１方向の他方の端までの前記第１方向の距離が、前記第２縁の前記第１方向の寸法よりも小さく、且つ前記第１係合片の前記第１方向の寸法が、前記第１縁の前記第１方向の寸法よりも小さく、
前記第２係合片が前記第２縁に係合された状態で前記第２縁に対して前記第１方向にスライド可能であり、且つ前記第１係合片が前記第１縁に係合された状態で前記第１縁に対して前記第１方向にスライド可能であり、
前記一方の端の第２係合片及び前記第１係合片の少なくとも一方と前記フレームの第３縁との間の前記第１方向の距離は、前記一方の端の第２係合片及び前記第１係合片の少なくとも一方が前記フレームの前記第３縁に当接するまで前記第１方向の一方にスライドしたとき、前記蓋本体が前記フレームの前記開口を前記第１方向の他方側で部分的に開放する距離であり、
前記第３縁は、前記第２縁の前記第１方向の一方の端から前記第１方向に対して交差する方向に延びているオーブン用の蓋。
【請求項８】
請求項２〜６の何れかに記載のオーブン用の蓋において、
前記第２係合片は、複数であって、第１方向に間隔をあけて前記蓋本体の前記第２端部に設けられており、前記第１方向は、前記フレームの前記第２縁の長手方向であり、
前記第２係合片は、前記第１方向の一方の最も端に位置する一方の端の第２係合片と、前記第１方向の他方の最も端に位置する他方の端の第２係合片とを含んでおり、
前記第１係合片は、複数であって、前記第１方向に間隔をあけて前記蓋本体の前記第１端部に設けられており、
前記第１係合片は、前記第１方向の一方の最も端に位置する一方の端の第１係合片と、前記第１方向の他方の最も端に位置する他方の端の第１係合片とを含んでおり、
前記一方の端の第２係合片の前記第１方向の一方の端から前記他方の端の第２係合片の前記第１方向の他方の端までの前記第１方向の距離が、前記第２縁の前記第１方向の寸法よりも小さく、且つ前記一方の端の第１係合片の前記第１方向の一方の端から前記他方の端の第１係合片の前記第１方向の他方の端までの前記第１方向の距離が、前記第１縁の前記第１方向の寸法よりも小さく、
前記第２係合片が前記第２縁に係合された状態で前記第２縁に対して前記第１方向にスライド可能であり、且つ前記第１係合片が前記第１縁に係合された状態で前記第１縁に対して前記第１方向にスライド可能であり、
前記一方の端の第２係合片及び前記一方の端の第１係合片の少なくとも一方と前記フレームの第３縁との間の前記第１方向の距離は、前記一方の端の第２係合片及び前記一方の端の第１係合片の少なくとも一方が前記フレームの前記第３縁に当接するまで前記第１方向の一方にスライドしたとき、前記蓋本体が前記フレームの前記開口を前記第１方向の他方側で部分的に開放する距離であり、
前記第３縁は、前記第２縁の前記第１方向の一方の端から前記第１方向に対して交差する方向に延びているオーブン用の蓋。
【請求項９】
請求項２〜６の何れかに記載のオーブン用の蓋において、
前記第２係合片の第１方向の寸法が、前記第２縁の前記第１方向の寸法よりも小さく、且つ前記第１係合片の前記第１方向の寸法が、前記第１縁の前記第１方向の寸法よりも小さく、前記第１方向は、前記フレームの前記第２縁の長手方向であり、  
前記第１係合片が前記第１縁に係合された状態で前記第１縁に対して前記第１方向にスライド可能であり、且つ前記第２係合片が前記第２縁に係合された状態で前記第２縁に対して前記第１方向にスライド可能であり、
前記第２係合片及び前記第１係合片の少なくとも一方と前記フレームの第３縁との間の前記第１方向の距離は、前記第２係合片及び前記第１係合片の少なくとも一方が前記フレームの第３縁に当接するまで前記第１方向の一方にスライドしたとき、前記蓋本体が前記フレームの前記開口を前記第１方向の他方側で部分的に開放する距離であり、
前記第３縁は、前記第２縁の前記第１方向の一方の端から前記第１方向に対して交差する方向に延びているオーブン用の蓋。
【請求項１０】
垂直方向の成分を含む方向に延びた金属筒であって、前記金属筒に設けられた開口と、前記金属筒の前記開口の第１縁と、前記金属筒の前記第１縁に相対する第２縁とを有するフレームと、
前記フレームの前記開口を閉塞する請求項１〜９の何れかに記載のオーブン用の蓋とを備えているオーブン。
【発明の詳細な説明】
【技術分野】
【０００１】
本発明は、オーブン用の蓋及びこれを備えたオーブンに関する。
【背景技術】
【０００２】
従来のオーブンが下記特許文献１に記載されている。このオーブンは、バーベキューグリルと、調理カバーとを備えている。バーベキューグリルは、グリル本体と、このグリル本体に固定された複数の脚部とを有している。調理カバーは、フレームと、天板とを有している。フレームはグリル本体の焼き網上に載置される金属筒である。フレームの正面板には、食材を出し入れするための正面開口が設けられている。天板は、フレームの上側開口を閉塞するように当該フレームに固定されている。
【先行技術文献】
【特許文献】
【０００３】
【特許文献１】特開２００５-２２１２１５号公報
【発明の概要】
【発明が解決しようとする課題】
【０００４】
上記従来のオーブンは、フレームの正面開口が開放されたままであるため、これが当該オーブン内の温度上昇を抑制する一要因となっている。このため、本発明の発明者は、オーブン内の温度を上昇させ易くするために、フレームの正面開口を蓋で閉塞することを思い至った。しかし、フレームの正面開口を閉塞する蓋は、フレームの正面開口からの食材の出し入れの妨げになる可能性がある。
【０００５】
本発明は、上記事情に鑑みて創案されたものであって、その目的とするところは、フレームの開口を閉塞するために容易にフレームに取り付けることができ、且つ開口を開放するためにフレームから容易に取り外すことができるオーブン用の蓋及びこれを備えたオーブンを提供することにある。
【課題を解決するための手段】
【０００６】
上記課題を解決するために、本発明の一態様のオーブン用の蓋は、オーブンの垂直方向の成分を含む方向に延びた筒状のフレームに取り付け可能である。蓋は、蓋本体と、第１係合片と、第２係合片とを備えている。蓋本体は、フレームに設けられた開口を閉塞可能な構成となっている。第１係合片及び第２係合片は、蓋本体に設けられている。第１係合片がフレームの開口の第１縁を係合し、且つ第２係合片がフレームの開口の第１縁に相対する第２縁に係合することによって、蓋本体がフレームの開口を閉塞した状態で維持される構成となっている。
【０００７】
このような態様の蓋は、フレームの開口を閉塞するためにフレームに容易に取り付けることができ、且つ開口を開放するためにフレームから容易に取り外すことができる。具体的には以下の通りである。蓋の第１係合片をフレームの第１縁に、蓋の第２係合片をフレームの第２縁に係合させるだけで、蓋本体がフレームの開口を閉塞するように蓋を容易にフレームに取り付けることができる。蓋の第１係合片をフレームの第１縁から取り外し、且つ蓋の第２係合片をフレームの第２縁から取り外すだけで、蓋をフレームから容易に取り外し、フレームの開口を開放することができる。
【０００８】
蓋本体は、第１縁に当接又は間隙を有して対向可能な第１端部と、第２縁に当接又は間隙を有して対向可能な第２端部とを有する構成とすることが可能である。
【０００９】
第１係合片は、蓋本体の第１端部に設けられており且つ蓋本体の第１端部の長手方向に交差する方向に延びた片持ち梁状とすることが可能である。第１係合片と蓋本体の第１端部との間でフレームの第１縁を挟持可能な構成とすることが可能である。第２係合片は、蓋本体の第２端部に設けられており且つ蓋本体の第２端部の長手方向に交差する方向に延びた片持ち梁状とすることが可能である。第２係合片と蓋本体の第２端部との間でフレームの第２縁を挟持可能な構成とすることが可能である。
【００１０】
このような態様の蓋は、フレームに対する取り付け及び取り外しが更に容易になる。その理由は以下の通りである。蓋本体の第１端部と第１係合片との間にフレームの第１縁を挿入し、蓋本体の第２端部と第２係合片との間にフレームの第２縁を挿入するだけで、フレームの第１縁が蓋本体の第１端部と第１係合片とに挟持され、フレームの第２縁が蓋本体の第２端部と第２係合片とに挟持される。このように蓋はフレームに簡単に取り付けることができる。蓋本体の第１端部と第１係合片との間からフレームの第１縁を抜き、蓋本体の第２端部と第２係合片との間からフレームの第２縁を抜くだけで、蓋がフレームから簡単に取り外される。
【００１１】
又は、第１係合片は、蓋本体の第１端部に設けられた略Ｕ字状のフックとすることが可能である。第２係合片は、蓋本体の第２端部に設けられた略Ｕ字状のフックとすることが可能である。
【００１２】
このような態様の蓋は、フレームに対する取り付け及び取り外しが更に容易になる。その理由は以下の通りである。第１係合片内にフレームの第１縁を挿入し、第２係合片内にフレームの第２縁を挿入するだけで、フレームの第１縁が第１係合片に係合され、フレームの第２縁が第２係合片に係合される。このように蓋はフレームに簡単に取り付けることができる。第１係合片からフレームの第１縁を抜き、第２係合片からフレームの第２縁を抜くだけで、蓋がフレームから簡単に取り外される。
【００１３】
第１係合片及び第２係合片は、自由端部を各々有する構成とすることが可能である。
【００１４】
第１係合片の自由端部が蓋本体の第１端部よりも突出した構成とすることが可能である。第２係合片の自由端部が蓋本体の第２端部よりも突出した構成とすることが可能である。このような態様の蓋は、フレームに対して更に容易に取り付けることが可能になる。その理由は以下の通りである。第１係合片の自由端部にフレームの第１縁を引っ掛け、片持ち梁状の第１係合片と蓋本体との間又はフックである第１係合片の自由端部と固定端部との間にフレームの第１縁を挿入することができ、第２係合片の自由端部にフレームの第２縁を引っ掛け、片持ち梁状の第２係合片と蓋本体との間又はフックである第２係合片の自由端部と固定端部との間にフレームの第２縁を挿入することができる。
【００１５】
第１係合片の自由端部の突出量が第２係合片の自由端部の突出量よりも大きい構成とすることが可能である。このような態様の蓋は、フレームに対する取り付け及び取り外しが更に容易になる。その理由は以下の通りである。第１係合片の自由端部にフレームの第１縁を引っ掛け、片持ち梁状の第１係合片と蓋本体との間又はフックである第１係合片の自由端部と固定端部との間にフレームの第１縁を挿入した後、フレームの第２縁を片持ち梁状の第２係合片と蓋本体との間又はフックである第２係合片の自由端部と固定端部との間に挿入するときに、第２係合片の自由端部が邪魔になりにくい。フレームの第２縁を片持ち梁状の第２係合片と蓋本体との間又はフックである第２係合片の自由端部と固定端部との間から抜くときに、第２係合片の自由端部が邪魔になりにくい。
【００１６】
第１係合片及び第２係合片の少なくとも一方の係合片は、当該一方の係合片の自由端部が蓋本体から離れるように弾性変形可能な構成とすることが可能である。このような態様の蓋は、フレームに対する取り付け及び取り外しが更に容易になる。その理由は以下の通りである。片持ち梁状の一方の係合片の自由端部と蓋本体との間又はフックである一方の係合片の自由端部と固定端部との間に、フレームの第１縁及び第２縁の一方の縁を挿脱するときに、当該一方の係合片が弾性変形し、その自由端部が蓋本体から離れるため、一方の縁を一方の係合片と蓋本体との間又は一方の係合片の自由端部と固定端部との間に挿脱し易くなる。
【００１７】
片持ち梁状の第１係合片と蓋本体との間の間隔又はフックである第１係合片の自由端部と固定端部との間の間隔は、フレームの第１縁の厚み寸法よりも若干小さくすることが可能である。この場合、第１係合片と蓋本体との間又は第１係合片の自由端部と固定端部との間に第１縁が挿入されたとき、第１係合片の自由端部が蓋本体から離れるように弾性変形し、第１縁が第１係合片と蓋本体との間又は第１係合片の自由端部と固定端部との間で弾性的に挟持される。
【００１８】
片持ち梁状の第２係合片と蓋本体との間の間隔又はフックである第２係合片の自由端部と固定端部との間の間隔は、フレームの第２縁の厚み寸法よりも若干小さくすることが可能である。この場合、第２係合片と蓋本体との間又は第２係合片の自由端部と固定端部との間に第２縁が挿入されたとき、第２係合片の自由端部が蓋本体から離れるように弾性変形し、第２縁が第２係合片と蓋本体との間又は第２係合片の自由端部と固定端部との間で弾性的に挟持される。
【００１９】
第１係合片及び第２係合片の少なくとも一方の係合片の自由端部は、蓋本体側に折り曲げ又は湾曲した構成とすることが可能である。
【００２０】
第２係合片は、複数とすることが可能である。この複数の第２係合片は第１方向に間隔をあけて蓋本体の第２端部に設けられた構成とすることが可能である。第１方向は、フレームの第２縁の長手方向とすることが可能である。第２係合片は、第１方向の一方の最も端に位置する一方の端の第２係合片と、第１方向の他方の最も端に位置する他方の端の第２係合片とを含んでいると良い。
【００２１】
一方の端の第２係合片の第１方向の一方の端から他方の端の第２係合片の第１方向の他方の端までの第１方向の距離が、第２縁の第１方向の寸法よりも小さく、且つ一つの第１係合片の第１方向の寸法が、第１縁の第１方向の寸法よりも小さくすることが可能である。この場合、複数の第２係合片が第２縁に係合された状態で第２縁に対して第１方向にスライド可能であり、且つ一つの第１係合片が第１縁に係合された状態で第１縁に対して第１方向にスライド可能である構成とすることが可能である。一方の端の第２係合片及び第１係合片の少なくとも一方とフレームの第３縁の間の第１方向の距離は、一方の端の第２係合片及び第１係合片の少なくとも一方がフレームの第３縁に当接するまで第１方向の一方にスライドしたとき、蓋本体がフレームの開口を第１方向の他方側で部分的に開放する距離とすることが可能である。なお、フレームの第３縁は、第２縁の第１方向の一方の端から第１方向に交差する方向に延びていると良い。
【００２２】
このような態様の蓋は、フレームの第１縁及び第２縁に取り付けられた状態で、フレームに対して第１方向にスライド移動できる。しかも、一方の端の第２係合片及び第１係合片の少なくとも一方がフレームの第３縁に当接するまで第１方向の一方にスライドしたとき、蓋本体がフレームの開口を第１方向の他方側で部分的に開放するので、開放された部分からフレーム内を観ることができる。また、フレームの開口を部分的に開放することで、フレーム内の温度を低下させることができる。
【００２３】
第１係合片は、複数とすることが可能である。複数の第１係合片は、第１方向に間隔をあけて第１端部に設けられた構成とすることが可能である。この第１係合片は、第１方向の一方の最も端に位置する一方の端の第１係合片と、第１方向の他方の最も端に位置する他方の端の第１係合片とを含んでいると良い。
【００２４】
一方の端の第２係合片の第１方向の一方の端から他方の端の第２係合片の第１方向の他方の端までの第１方向の距離が、第２縁の第１方向の寸法よりも小さく、且つ一方の端の第１係合片の第１方向の一方の端から他方の端の第１係合片の第１方向の他方の端までの第１方向の距離が、第１縁の第１方向の寸法よりも小さくすることが可能である。この場合、複数の第２係合片が第２縁に係合された状態で第２縁に対して第１方向にスライド可能であり、且つ複数の第１係合片が第１縁に係合された状態で第１縁に対して第１方向にスライド可能である構成とすることが可能である。一方の端の第２係合片及び一方の端の第１係合片の少なくとも一方とフレームの第３縁との間の第１方向の距離は、一方の端の第２係合片及び一方の端の第１係合片の少なくとも一方がフレームの第３縁に当接するまで第１方向の一方にスライドしたとき、蓋本体がフレームの開口を第１方向の他方側で部分的に開放する距離とすることが可能である。
【００２５】
このような態様の蓋は、フレームの第１縁及び第２縁に取り付けられた状態で、フレームに対して第１方向にスライド移動できる。しかも、一方の端の第２係合片及び一方の端の第１係合片の少なくとも一方がフレームの第３縁に当接するまで第１方向の一方にスライドしたとき、蓋本体がフレームの開口を第１方向の他方側で部分的に開放するので、開放された部分からフレーム内を観ることができる。また、フレームの開口を部分的に開放することで、フレーム内の温度を低下させることができる。
【００２６】
一つの第２係合片の第１方向の寸法が、第２縁の第１方向の寸法よりも小さく、一つの第１係合片の第１方向の寸法が、第１縁の第１方向の寸法よりも小さくすることが可能である。この場合、一つの第２係合片が第２縁に係合された状態で第２縁に対して第１方向にスライド可能であり、且つ一つの第１係合片が第１縁に係合された状態で第１縁に対して第１方向にスライド可能である構成とすることが可能である。第２係合片及び第１係合片の少なくとも一方とフレームの第３縁との間の第１方向の距離は、第２係合片及び第１係合片の少なくとも一方がフレームの第３縁に当接するまで第１方向の一方にスライドしたとき、蓋本体がフレームの開口を第１方向の他方側で部分的に開放する距離とすることが可能である。
【００２７】
このような態様の蓋は、フレームの第１縁及び第２縁に取り付けられた状態で、フレームに対して第１方向にスライド移動できる。しかも、第２係合片及び第１係合片の少なくとも一方がフレームの第３縁に当接するまで第１方向の一方にスライドしたとき、蓋本体がフレームの開口を第１方向の他方側で部分的に開放するので、開放された部分からフレーム内を観ることができる。また、フレームの開口を部分的に開放することで、フレーム内の温度を低下させることができる。
【００２８】
本発明の一態様のオーブンは、フレームと、上記した何れかの態様の蓋とを備えている。フレームは、垂直方向の成分を含む方向に延びた金属筒であって、当該フレームに設けられた開口と、フレームの開口の第１縁と、フレームの第１縁に相対する第２縁とを有する構成とすることが可能である。
【図面の簡単な説明】
【００２９】
【図１Ａ】本発明の実施例に係るオーブンの正面図であって、前記オーブンのフレームの開口が蓋で閉塞された状態の図である。
【図１Ｂ】前記オーブンの正面図であって、前記蓋が取り外され、前記開口が開放された状態の図である。
【図２】前記オーブンの図１Ａ中の２-２断面図である。
【図３Ａ】前記オーブンの前記フレームと前記蓋との位置関係を説明するための説明図であって、前記蓋が前記開口を完全に塞ぐ閉位置に位置している状態の図である。
【図３Ｂ】前記オーブンの前記フレームと前記蓋との位置関係を説明するための説明図であって、前記蓋が前記開口を部分的に開放する開位置に位置している状態の図である。
【図４Ａ】前記オーブンの前記蓋の正面、平面及び右側面から表した斜視図である。
【図４Ｂ】前記オーブンの前記蓋の背面、底面及び左側面から表した斜視図である。
【図５Ａ】前記オーブンの別の態様の蓋の正面、平面及び右側面から表した斜視図である。
【図５Ｂ】前記オーブンの前記別の態様の蓋の背面、底面及び左側面から表した斜視図である。
【図６Ａ】前記オーブンの更に別の態様の蓋の正面、平面及び右側面から表した斜視図である。
【図６Ｂ】前記オーブンの前記更に別の態様の蓋の背面、底面及び左側面から表した斜視図である。
【図７Ａ】前記オーブンの更に別の態様の蓋の正面、平面及び右側面から表した斜視図である。
【図７Ｂ】前記オーブンの前記更に別の態様の蓋の背面、底面及び左側面から表した斜視図である。
【図８】前記オーブンの図１Ａ中の２-２断面図であって、上記何れかの態様の蓋の第１係合片及び第２係合片の設計変更例を示す図である。
【図９】前記オーブンの図１Ａ中の２-２断面図であって、上記何れかの態様の蓋の第１係合片及び第２係合片の別の設計変更例を示す図である。
【発明を実施するための形態】
【００３０】
以下、本発明の複数の実施例に係るオーブンＯについて図１Ａ〜図９Ｂを参照しつつ説明する。なお、図１Ａ〜図４Ｂには、前記実施例のうちのオーブンＯの一つの実施例が示されている。オーブンＯは、調理カバー１００と、バーベキューグリルＧとを備えている。以下、オーブンＯの各構成要素について詳しく説明する。なお、図１Ａ〜図２中のＺ−Ｚ’方向は、オーブンＯの高さ方向に相当し且つ特許請求の範囲の垂直方向に相当する。図１Ａ〜図１Ｂ中のＸ−Ｘ’方向は、オーブンＯの幅方向に相当する。図２中のＹ−Ｙ’方向は、オーブンＯの奥行き方向に相当する。Ｘ−Ｘ’方向はＺ−Ｚ’方向に直交している。Ｙ−Ｙ’方向はＸ−Ｘ’方向に直交している。
【００３１】
調理カバー１００はバーベキューグリルＧ上に載置可能である。調理カバー１００は、フレーム１１０と、天板１２０とを備えている。
【００３２】
フレーム１１０は耐熱性を有する素材（例えば、金属や耐熱樹脂）で構成された筒であって、例えば、多角形の筒又は円筒とすることが可能である。本発明の多角形の筒は、多角錐台状の筒を含み、図１Ａ〜図２では、四角錐台状の筒であるフレーム１１０が示されている。本発明の円筒は、円錐台状の筒を含む。フレーム１１０は、上側開口及び下側開口を有している。フレーム１１０には、フレーム１１０内に食材を出し入れするための開口１１１が更に設けられている。フレームが多角形の筒である場合、開口１１１は、前記筒を構成する複数の板のうちの任意の一つに設けられていると良い。開口１１１の形状は、食材を出し入れできる限り任意である。例えば、開口１１１は、多角形（四角形を含む。）、山型、半円形又は円形（楕円形を含む。）とすることが可能である。なお、図１Ａ〜図３Ａ〜図３Ｂでは、山型の開口１１１が示されている。
【００３３】
フレーム１１０は、開口１１１の第１縁１１１ａと、開口１１１の第２縁１１１ｂとを更に有している。第１縁１１１ａ及び第２縁１１１ｂは互いに相対していれば良い。開口１１１が多角形である場合、当該開口１１１の複数の縁（辺）のうち互いに相対する二つの縁が第１縁１１１ａ及び第２縁１１１ｂとなる。この場合、第１縁１１１ａ及び第２縁１１１ｂの各々は、真っ直ぐ、Ｕ字状又は円弧状に延びていても良いが、これに限定されることはない。開口１１１が円形である場合、第１縁１１１ａ及び第２縁１１１ｂは、開口１１１のリング状の縁の相対する円弧状の一部となる。
【００３４】
フレーム１１０は、開口１１１の第３縁１１１ｃと、開口１１１の第４縁１１１ｄとを更に有していても良い。第３縁１１１ｃ及び第４縁１１１ｄは、第１縁１１１ａ及び第２縁１１１ｂが対向する方向と交差する方向で互いに相対していれば良い。例えば、第１縁１１１ａ及び第２縁１１１ｂがＺ−Ｚ’方向で互いに相対している場合、第３縁１１１ｃ及び第４縁１１１ｄはＺ−Ｚ’方向に交差する方向（例えば、Ｘ−Ｘ’方向）で互いに相対し、第１縁１１１ａ及び第２縁１１１ｂがＸ−Ｘ’方向で互いに相対している場合、第３縁１１１ｃ及び第４縁１１１ｄはＸ−Ｘ’方向に交差する方向（例えば、Ｚ−Ｚ’方向）で互いに相対している。
【００３５】
開口１１１が多角形である場合、当該開口１１１の複数の縁（辺）のうち、第１縁１１１ａ及び第２縁１１１ｂが対向する方向と交差する方向で互いに相対する二つの縁が第３縁１１１ｃ及び第４縁１１１ｄとなる。この場合、第３縁１１１ｃ及び第４縁１１１ｄは以下の構成とすることが可能である。第３縁１１１ｃは、第２縁１１１ｂの第１方向の一方の端から第１方向に交差する方向に延びた構成とすることが可能である。第４縁１１１ｄは、第２縁１１１ｂの第１方向の他方の端から第１方向に交差する方向に延びた構成とすることが可能である。第１方向は、開口１１１の第２縁１１１ｂの長手方向である。第３縁１１１ｃ及び第４縁１１１ｄの各々は、真っ直ぐ、Ｕ字状又は円弧状に延びていても良いが、これに限定されることはない。
【００３６】
開口１１１が四角形又は山型である場合、下記の１）又は２）の構成とすることが可能である。１）第１縁１１１ａは開口１１１のＺ方向の縁であり、第２縁１１１ｂは開口１１１のＺ’方向の縁であり、第３縁１１１ｃは開口１１１のＸ方向の縁であり、且つ第４縁１１１ｄは開口１１１のＸ’方向の縁である。２）第１縁１１１ａは開口１１１のＸ方向の縁であり、第２縁１１１ｂは開口１１１のＸ’方向の縁であり、第３縁１１１ｃは開口１１１のＺ方向の縁であり、且つ第４縁１１１ｄは開口１１１のＺ’方向の縁である。これらの場合、第３縁１１１ｃは、第１縁１１１ａの第１方向の一方の端と第２縁１１１ｂの第１方向の一方の端とを連結しており、第４縁１１１ｄは、第１縁１１１ａの第１方向の他方の端と第２縁１１１ｂの第１方向の他方の端とを連結している。なお、開口１１１の第２縁１１１ｂがＸ−Ｘ’方向に延びている場合、第１方向はＸ−Ｘ’方向となり、開口１１１の第２縁１１１ｂがＺ−Ｚ’方向に延びている場合、第１方向はＺ−Ｚ’方向となる。
【００３７】
図１Ａ〜図２では、開口１１１は山型である。第１縁１１１ａは開口１１１のＺ方向の縁であり且つＺ方向に凸の円弧状に延びており、第２縁１１１ｂは開口１１１のＺ’方向の縁であり且つＸ−Ｘ’方向に真っ直ぐに延びており、第３縁１１１ｃはＸ方向に凸の横向きＵ字状の開口１１１のＸ方向の縁であり且つＺ−Ｚ’方向に延びており、且つ第４縁１１１ｄはＸ’方向に凸の横向きＵ字状の開口１１１のＸ’方向の縁であり且つＺ−Ｚ’方向に延びている。
【００３８】
開口１１１が円形である場合、第３縁１１１ｃ及び第４縁１１１ｄは、第１縁１１１ａ及び第２縁１１１ｂが対向する方向と交差する方向で互いに相対する開口１１１のリング状の縁の円弧状の一部である。
【００３９】
フレーム１１０は分解可能な構成とすることが可能である。フレーム１１０が多角形の筒である場合、当該筒の複数の壁を各々構成する複数の矩形状の板を有し、この板のうち隣り合う板の端部同士が着脱可能な構成とすると良い。フレーム１１０が円筒である場合、当該筒の一部を構成する複数の円弧状の板を有し、この板のうち隣り合う板の端部同士が着脱可能な構成とすると良い。又は、フレーム１１０は折り畳み可能な構成とすることが可能である。例えば、フレーム１１０が、図１Ａ〜図３Ｂに示されるように四角形状の筒である場合、当該筒を構成する正面板、背面板、右側面板及び左側面板を有している。これらの板の隣り合う端部同士は、回動自在に連結されている。右側面板及び左側面板は、谷折り可能な二つの板で構成されている。これらの場合、開口１１１は、上記した板の何れかに設けられていると良い。
【００４０】
天板１２０は、耐熱性を有する素材（例えば、金属や耐熱樹脂）で構成されており且つフレーム１１０の上側開口を塞ぐものであれば良い。例えば、天板１２０は、フレーム１１０の上側開口を塞ぐ金属板、耐熱樹脂板、金属製の箱又は耐熱樹脂製の箱とすることが可能である。天板１２０は、フレーム１１０に固定されていても良い。図２には、天板１２０の一態様が示されている。この天板１２０は、天板本体１２１と、天板本体１２１の保持孔１２１ａを塞ぐ閉塞板１２２とを有している。閉塞板１２２を取り外し、保持孔１２１ａに図示しない鍋を収容保持することができる。
【００４１】
調理カバー１００は、フレーム１１０の開口１１１を閉塞可能な蓋１０を更に備えている。図１〜図４Ｂには、オーブンＯの蓋１０の一態様が示されており、図５Ａ及び図５Ｂには、オーブンＯの蓋１０の別の一態様が示されており、図６Ａ及び図６Ｂには、オーブンＯの蓋１０の更に別の一態様が示されており、図７Ａ及び図７Ｂには、オーブンＯの蓋１０の更に別の一態様が示されている。
【００４２】
蓋１０は、蓋本体１１を有している。蓋本体１１は、耐熱性を有する素材（例えば、金属や耐熱樹脂）で構成された板であって、フレーム１１０の開口１１１を塞ぐものであれば良い。蓋本体１１の外形は、フレーム１１０の開口１１１の形状に応じて任意に決定することが可能である。例えば、蓋本体１１の外形は、多角形（四角形（図６Ａ〜図７Ｂ参照）を含む。）、山型（図１Ａ〜図５Ｂ参照）、半円形又は円形（楕円形を含む。）とすることが可能である。蓋本体１１の外形寸法は、開口１１１の外形寸法よりも大きい。なお、蓋本体１１の外形は、フレーム１１０の開口１１１の形状と相違していても良い。
【００４３】
蓋本体１１は、第１面と、第２面と、第１端部１１ａと、第２端部１１ｂとを有している。蓋本体１１の第１面は、蓋本体１１がフレーム１１０の開口１１１を閉塞した状態で、当該フレーム１１０内を向く内面である。蓋本体１１の第２面は、第１面の反対側の外面である。
【００４４】
第１端部１１ａは、蓋本体１１におけるフレーム１１０の第１縁１１１ａに外側から当接又は間隙を有して対向可能な部位であって、第１縁１１１ａに沿って延びていると良い。第１端部１１ａは第１縁１１１ａに沿って直線状、Ｕ字状又は円弧状に延びていても良い。第２端部１１ｂは、蓋本体１１におけるフレーム１１０の第２縁１１１ｂに外側から当接又は間隙を有して対向可能な部位であって、第２縁１１１ｂに沿って延びていると良い。第２端部１１ｂは第２縁１１１ｂに沿って直線状、Ｕ字状又は円弧状に延びていても良い。
【００４５】
蓋本体１１は、第３端部１１ｃ及び第４端部１１ｄを更に有していても良い。第３端部１１ｃは、蓋本体１１におけるフレーム１１０の第３縁１１１ｃに外側から当接又は間隙を有して対向可能な部位であって、第３縁１１１ｃに沿って延びていると良い。第３端部１１ｃは、第３縁１１１ｃに沿って直線状、Ｕ字状又は円弧状に延びていても良い。第４端部１１ｄは、蓋本体１１におけるフレーム１１０の第４縁１１１ｄに外側から当接又は間隙を有して対向可能な部位であって、第４縁１１１ｄに沿って延びていると良い。第４端部１１ｄは、第４縁１１１ｄに沿って直線状、Ｕ字状又は円弧状に延びていても良い。
【００４６】
蓋本体１１の外形が四角形又は山型である場合、下記１）又は２）の構成とすることが可能である。１）図１Ａ〜図５Ｂ及び図６Ａ〜図７Ｂに各々示されるように、第１端部１１ａは蓋本体１１のＺ方向の端部であって、Ｚ方向の第１縁１１１ａに沿って延びており、第２端部１１ｂは蓋本体１１のＺ’方向の端部であって、Ｚ’方向の第２縁１１１ｂに沿って延びており、第３端部１１ｃは、蓋本体１１のＸ方向の端部であって、Ｘ方向の第３縁１１１ｃに沿って延びており、且つ第４端部１１ｄは、蓋本体１１のＸ’方向の端部であって、Ｘ’方向の第４縁１１１ｄに沿って延びている。２）第１端部１１ａは蓋本体１１のＸ方向の端部であって、Ｘ方向の第１縁１１１ａに沿って延びており、第２端部１１ｂは蓋本体１１のＸ’方向の端部であって、Ｘ’方向の第２縁１１１ｂに沿って延びており、第３端部１１ｃは、蓋本体１１のＺ方向の端部であって、Ｚ方向の第３縁１１１ｃに沿って延びており、且つ第４端部１１ｄは、蓋本体１１のＺ’方向の端部であって、Ｚ’方向の第４縁１１１ｄに沿って延びている。
【００４７】
蓋１０は、少なくとも一つの第１係合片１２ａと、少なくとも一つの第２係合片１２ｂとを更に有している。図２〜７Ｂには、第１係合片１２ａの一態様が示されており、図２〜図４Ｂ及び図６Ａ〜図６Ｂには、第２係合片１２ｂの一態様が示されており、図５Ａ〜図５Ｂ及び図７Ａ〜図７Ｂには、第２係合片１２ｂの別の態様が示されている。図２〜図４Ｂ及び図６Ａ〜図６Ｂに示される第２係合片１２ｂと、図５Ａ〜図５Ｂ及び図７Ａ〜図７Ｂに示される第２係合片１２ｂとは、長さが異なる以外同じ構成である。図８には、第１係合片１２ａ及び第２係合片１２ｂの別の態様が示されており、図９には、第１係合片１２ａ及び第２係合片１２ｂの更に別の態様が示されている。
【００４８】
第１係合片１２ａは、フレーム１１０の第１縁１１１ａを係合可能となるように蓋本体１１の第１面に設けられていると良い。第２係合片１２ｂは、フレーム１１０の第２縁１１１ｂを係合可能となるように蓋本体１１の第１面に設けられていると良い。第１係合片１２ａ及び第２係合片１２ｂは、蓋本体１１の外側に互いに略逆向きとすると良い。第１係合片１２ａがフレーム１１０の第１縁１１１ａを係合し、且つ第２係合片１２ｂがフレーム１１０の第２縁１１１ｂを係合することによって、蓋本体１１がフレーム１１０の開口１１１を閉塞した状態で維持される。
【００４９】
第１係合片１２ａは、蓋本体１１の第１面の第１端部１１ａに設けられていても良い。第１係合片１２ａは、自由端部と、固定端部とを有している。例えば、第１係合片１２ａは、下記１）〜３）の何れかの構成とすることが可能である。
【００５０】
１）第１係合片１２ａは、図２〜図７Ｂに示されるように、第１交差方向に延びた片持ち梁状であって、第１係合片１２ａの固定端部が当該第１端部１１ａに固定されている。第１係合片１２ａの自由端部は、第１交差方向のうちの蓋本体１１の外側（以下、単に、第１交差方向の外側とも称する。）に向いている。２）第１係合片１２ａは、図８に示されるように、蓋本体１１の第１端部１１ａの一部が切り起こされており且つ第１交差方向に延びた片持ち梁状である。第１係合片１２ａの固定端部は、当該第１端部１１ａに接続されている。第１係合片１２ａの自由端部は、第１交差方向の外側方向に向いている。１）及び２）の何れの場合も、第１係合片１２ａと蓋本体１１の第１端部１１ａとの間でフレーム１１０の第１縁１１１ａを挟持可能となる。この挟持状態で、蓋本体１１の第１端部１１ａはフレーム１１０の第１縁１１１ａに当接する。３）第１係合片１２ａは、図９に示されるように、フレーム１１０の第１縁１１１ａを係合可能な略Ｕ字状のフックであって、第１係合片１２ａの固定端部が当該第１端部１１ａに固定されている。第１係合片１２ａの固定端部は、第１交差方向のうちの蓋１０の中心側（すなわち、第１交差方向の内側）に延びており、第１係合片１２ａの固定端部と自由端部との間の中間部は、第１交差方向の外側に略Ｕ字状に折り返され、第１係合片１２ａの自由端部は、中間部から第１交差方向の外側に延びている。この場合、第１係合片１２ａの自由端部と固定端部との間でフレーム１１０の第１縁１１１ａを挟持可能となる。この挟持状態で、蓋本体１１の第１端部１１ａはフレーム１１０の第１縁１１１ａに間隙を有して対向しても良いし、第１端部１１ａがフレーム１１０の第１縁１１１ａに当接するような厚みを有していても良い。蓋本体１１の第１端部１１ａ以外の端部もフレーム１１０の第１縁１１１ａに間隙を有して対向しても良いし、当該端部もフレーム１１０の第１縁１１１ａに当接するような厚みを有していても良い。
【００５１】
なお、第１交差方向は、蓋本体１１の第１端部１１ａの長手方向に交差する方向であれば良い。例えば、第１端部１１ａが蓋本体１１のＺ方向の端部であって、直線状、Ｕ字状又は円弧状にＸ−Ｘ’方向に延びている場合、第１交差方向は、Ｘ−Ｘ’方向に交差する方向（例えば、Ｚ−Ｚ’方向、Ｚ−Ｚ’方向及びＸ−Ｘ’方向の成分を含む方向、Ｚ−Ｚ’方向及びＹ−Ｙ’方向の成分を含む方向、Ｚ−Ｚ’方向、Ｘ−Ｘ’方向及びＹ−Ｙ’方向の成分を含む方向）とすると良い。第１端部１１ａが蓋本体１１のＸ方向の端部であって、直線状、Ｕ字状又は円弧状にＺ−Ｚ’方向に延びている場合、第１交差方向は、Ｚ−Ｚ’方向に交差する方向（例えば、Ｘ−Ｘ’方向、Ｘ−Ｘ’方向及びＺ−Ｚ’方向の成分を含む方向、Ｘ−Ｘ’方向及びＹ−Ｙ’方向の成分を含む方向、Ｘ−Ｘ’方向、Ｚ−Ｚ’方向及びＹ−Ｙ’方向の成分を含む方向）とすると良い。
【００５２】
第２係合片１２ｂは、蓋本体１１の第１面の第２端部１１ｂに設けられていても良い。第２係合片１２ｂは、自由端部と、固定端部とを有している。例えば、第２係合片１２ｂは、下記１）〜３）の何れかの構成とすることが可能である。
【００５３】
１）第２係合片１２ｂは、図２〜図７Ｂに示されるように、第２交差方向に延びた片持ち梁状であって、第２係合片１２ｂの固定端部が当該第２端部１１ｂに固定されている。第２係合片１２ｂの自由端部は、第２交差方向のうちの蓋本体１１の外側（以下、単に、第２交差方向の外側とも称する。）に向いている。２）第２係合片１２ｂは、図８に示されるように、蓋本体１１の第２端部１１ｂの一部が切り起こされており且つ第２交差方向に延びた片持ち梁状である。第２係合片１２ｂの固定端部は、当該第２端部１１ｂに接続されている。第２係合片１２ｂの自由端部は、第２交差方向の外側に向いている。１）及び２）の何れの場合も、第２係合片１２ｂと蓋本体１１の第２端部１１ｂとの間でフレーム１１０の第２縁１１１ｂを挟持可能となる。この挟持状態で、蓋本体１１の第２端部１１ｂはフレーム１１０の第２縁１１１ｂに当接する。３）第２係合片１２ｂは、図９に示されるように、フレーム１１０の第２縁１１１ｂを係合可能な略Ｕ字状のフックとすることが可能である。この場合、第２係合片１２ｂの固定端部が当該第２端部１１ｂに固定されている。第２係合片１２ｂの固定端部は、第２交差方向のうちの蓋１０の中心側（すなわち、第２交差方向の内側）に延びており、第２係合片１２ｂの固定端部と自由端部との間の中間部は、第２交差方向の外側に略Ｕ字状に折り返され、第２係合片１２ｂの自由端部は、中間部から第２交差方向の外側に延びている。この場合、第２係合片１２ｂの自由端部と固定端部との間でフレーム１１０の第２縁１１１ｂを挟持可能となる。この挟持状態で、蓋本体１１の第２端部１１ｂはフレーム１１０の第２縁１１１ｂに間隙を有して対向しても良いし、第２端部１１ｂがフレーム１１０の第２縁１１１ｂに当接するような厚みを有していても良い。蓋本体１１の第２端部１１ｂ以外の端部もフレーム１１０の第２縁１１１ｂに間隙を有して対向しても良いし、当該端部もフレーム１１０の第２縁１１１ｂに当接するような厚みを有していても良い。
【００５４】
なお、第１係合片１２ａ及び第２係合片１２ｂがフックである場合、蓋本体１１の第１端部１１ａ及び第２端部１１ｂ以外の端部も、フレーム１１０の第２縁１１１ｂに間隙を有して対向しても良いし、当該端部もフレーム１１０の第２縁１１１ｂに当接するような厚みを有していても良い。
【００５５】
第２交差方向は、蓋本体１１の第２端部１１ｂの長手方向に交差する方向であれば良い。例えば、第２端部１１ｂが蓋本体１１のＺ’方向の端部であって、直線状、Ｕ字状又は円弧状にＸ−Ｘ’方向に延びている場合、第２交差方向は、Ｘ−Ｘ’方向に交差する方向（例えば、Ｚ−Ｚ’方向、Ｚ−Ｚ’方向及びＸ−Ｘ’方向の成分を含む方向、Ｚ−Ｚ’方向及びＹ−Ｙ’方向の成分を含む方向、Ｚ−Ｚ’方向、Ｘ−Ｘ’方向及びＹ−Ｙ’方向の成分を含む方向）とすると良い。第２端部１１ｂが蓋本体１１のＸ’方向の端部であって、直線状、Ｕ字状又は円弧状にＺ−Ｚ’方向に延びている場合、第２交差方向は、Ｚ−Ｚ’方向に交差する方向（例えば、Ｘ−Ｘ’方向、Ｘ−Ｘ’方向及びＺ−Ｚ’方向の成分を含む方向、Ｘ−Ｘ’方向及びＹ−Ｙ’方向の成分を含む方向、Ｘ−Ｘ’方向、Ｚ−Ｚ’方向及びＹ−Ｙ’方向の成分を含む方向）とすると良い。
【００５６】
第１係合片１２ａ及び第２係合片１２ｂの少なくとも一方の係合片は、蓋本体１１から離れるように弾性変形可能な構成とすることが可能である。一方の係合片と蓋本体１１との間の間隔は、１）フレーム１１０の一方の係合片に対応する縁の厚み寸法と略同じ、２）フレーム１１０の前記縁の厚み寸法よりも若干小さい、又は、３）フレーム１１０の前記縁の厚み寸法よりも若干大きくすることが可能である。１）〜３）の何れの場合であっても、一方の係合片と蓋本体１１との間に、フレーム１１０の前記縁が挿脱されるときに、当該縁に一方の係合片が押圧され、一方の係合片が蓋本体１１から離れるように弾性変形する。２）の場合、一方の係合片と蓋本体１１とのフレーム１１０の前記縁に対する挟持力が、１）及び３）の場合に比べて向上する。なお、フレーム１１０の一方の係合片に対応する縁は、一方の係合片が第１係合片１２ａの場合、第１縁１１１ａであり、一方の係合片が第２係合片１２ｂの場合、第２縁１１１ｂである。なお、第１係合片１２ａ及び第２係合片１２ｂの各々が、弾性変形不能な構成とすることも当然可能である。
【００５７】
第１係合片１２ａの自由端部は、蓋本体１１の第１端部１１ａ側に折り曲げ又は湾曲していても良いが、これに限定されることはない。第２係合片１２ｂの自由端部は、蓋本体１１の第２端部１１ｂ側に折り曲げ又は湾曲していても良いが、これに限定されることはない。図２〜図７Ｂでは、第１係合片１２ａの自由端部が蓋本体１１の第１端部１１ａに向けて略Ｖ字状に折り曲げられ、且つ第２係合片１２ｂの自由端部が蓋本体１１の第２端部１１ｂに向けて略Ｖ字状に折り曲げられている。なお、第１係合片１２ａ及び第２係合片１２ｂは、折り曲げ又は湾曲していない構成とすることが当然可能である。
【００５８】
第１係合片１２ａの自由端部は、蓋本体１１の第１端部１１ａよりも第１交差方向の外側に突出していても良いが、突出していなくても良い。第２係合片１２ｂの自由端部は、蓋本体１１の第２端部１１ｂよりも第２交差方向の外側に突出していても良いが、突出していなくても良い。第１係合片１２ａの自由端部が、蓋本体１１の第１端部１１ａから第１交差方向の外側に突出し、且つ第２係合片１２ｂの自由端部は、蓋本体１１の第２端部１１ｂから第２交差方向の外側に突出している場合、少なくとも一つの第１係合片１２ａの自由端部の突出量は、少なくとも一つの第２係合片１２ｂの自由端部の突出量よりも大きく設定することが可能である。
【００５９】
上記した何れかの態様の第１係合片１２ａ及び第２係合片１２ｂの少なくとも一方は、複数とすることが可能である。図２〜図４Ｂ及び図６Ａ〜図６Ｂでは、第２係合片１２ｂが複数である。
【００６０】
第２係合片１２ｂが複数である場合、この第２係合片１２ｂは、蓋本体１１の第２端部１１ｂに、第１方向に間隔をあけて設けられていると良い。第１係合片１２ａが複数である場合、この第１係合片１２ａは、蓋本体１１の第１端部１１ａに、第１方向に間隔をあけて設けられていると良い。
【００６１】
複数の第２係合片１２ｂは、第１方向の一方の最も端に位置する一方の端の第２係合片１２ｂ１と、第１方向の他方の最も端に位置する他方の端の第２係合片１２ｂ２とを含んでいる。複数の第１係合片１２ａは、第１方向の一方の最も端に位置する一方の端の第１係合片１２ａと、第１方向の他方の最も端に位置する他方の端の第１係合片１２ａとを含んでいる。
【００６２】
上記した何れかの態様の第１係合片１２ａ及び第２係合片１２ｂの少なくとも一方は、第１方向に延びた長尺状とすることが可能である（図５Ａ〜図５Ｂ及び図７Ａ〜図７Ｂ参照）。
【００６３】
蓋１０の少なくとも一つの第１係合片１２ａ及び第２係合片１２ｂは、以下の１）〜３）の何れかのようにフレーム１１０の第１縁１１１ａ及び第２縁１１１ｂに対して各々第１方向にスライド自在に係合される構成とすることが可能である。この場合、少なくともフレーム１１０の第２縁１１１ｂは直線状に延びている。
【００６４】
１）第２係合片１２ｂが複数であり、且つ第１係合片１２ａが一つである。この場合、一方の端の第２係合片１２ｂ１の第１方向の一方の端（外端）から他方の端の第２係合片１２ｂ２の第１方向の他方の端（外端）までの第１方向の距離が、フレーム１１０の第２縁１１１ｂの第１方向の寸法よりも小さく、且つ第１係合片１２ａの第１方向の寸法が、第１縁の第１方向の寸法よりも小さい。第２係合片１２ｂが第２縁１１１ｂに係合された状態で第２縁１１１ｂに対して第１方向にスライド可能であり、且つ第１係合片１２ａが第１縁１１１ａに係合された状態で第１縁１１１ａに対して第１方向にスライド可能となる。この係合状態における一方の端の第２係合片１２ｂ１及び第１係合片１２ａの少なくとも一方と、フレーム１１０の第３縁１１１ｃとの間の第１方向の距離は、一方の端の第２係合片１２ｂ１及び第１係合片１２ａの少なくとも一方がフレーム１１０の第３縁１１１ｃに当接するまで第１方向の一方にスライドしたとき、蓋本体１１がフレーム１１０の開口１１１を第１方向の他方側で部分的に開放する距離となっている。
【００６５】
２）第２係合片１２ｂが複数であり、且つ第１係合片１２ａが複数である。この場合、一方の端の第２係合片１２ｂ１の第１方向の一方の端（外端）から他方の端の第２係合片１２ｂ２の第１方向の他方の端（外端）までの第１方向の距離が、フレーム１１０の第２縁１１１ｂの第１方向の寸法よりも小さく、且つ一方の端の第１係合片１２ａの第１方向の一方の端（外端）から他方の端の第１係合片１２ａの第１方向の他方の端（外端）までの第１方向の距離が、フレーム１１０の第１縁１１１ａの第１方向の寸法よりも小さくすることが可能である。複数の第２係合片１２ｂが第２縁１１１ｂに係合された状態で第２縁１１１ｂに対して第１方向にスライド可能であり、且つ複数の第１係合片１２ａが第１縁１１１ａに係合された状態で第１縁１１１ａに対して第１方向にスライド可能である構成とすることが可能である。この係合状態における一方の端の第２係合片１２ｂ１及び一方の端の第１係合片１２ａの少なくとも一方と、フレーム１１０の第３縁１１１ｃとの間の第１方向の距離は、一方の端の第２係合片１２ｂ１及び一方の端の第１係合片１２ａの少なくとも一方が、フレーム１１０の第３縁１１１ｃに当接するまで第１方向の一方にスライドしたとき、蓋本体１１がフレーム１１０の開口１１１を第１方向の他方側で部分的に開放する距離となっている。
【００６６】
３）第２係合片１２ｂが一つであり、且つ第１係合片１２ａが一つである。この場合、第２係合片１２ｂの第１方向の寸法が、フレーム１１０の第２縁１１１ｂの第１方向の寸法よりも小さく、第１係合片１２ａの第１方向の寸法が、フレーム１１０の第１縁１１１ａの第１方向の寸法よりも小さくすることが可能である。第２係合片１２ｂが第２縁１１１ｂに係合された状態で第２縁１１１ｂに対して第１方向にスライド可能であり、且つ第１係合片１２ａが第１縁１１１ａに係合された状態で第１縁１１１ａに対して第１方向にスライド可能である構成とすることが可能である。この係合状態における第２係合片１２ｂ及び第１係合片１２ａの少なくとも一方とフレーム１１０の第３縁１１１ｃとの間の第１方向の距離は、第２係合片１２ｂ及び第１係合片１２ａの少なくとも一方がフレーム１１０の第３縁１１１ｃに当接するまで第１方向の一方にスライドしたとき、蓋本体１１がフレーム１１０の開口１１１を第１方向の他方側で部分的に開放する距離となっている。
【００６７】
又は、蓋１０は、蓋１０の少なくとも一つの第１係合片１２ａ及び第２係合片１２ｂは、以下の１）〜３）の何れかのようにフレーム１１０の第１縁１１１ａ及び第２縁１１１ｂに対してスライド不能に係合される構成とすることが可能である。
【００６８】
１）第２係合片１２ｂが複数であり、且つ第１係合片１２ａが一つである。この場合、第２係合片１２ｂが第２縁１１１ｂに係合し且つ第１係合片１２ａが第１縁１１１ａに係合した状態で、一方の端の第２係合片１２ｂ１及び第１係合片１２ａの少なくとも一方がフレーム１１０の第３縁１１１ｃに当接し、且つ他方の端の第２係合片１２ｂ２及び第１係合片１２ａの少なくとも一方がフレーム１１０の第４縁１１１ｄに当接する。
【００６９】
２）第２係合片１２ｂが複数であり、且つ第１係合片１２ａが複数である。この場合、第２係合片１２ｂが第２縁１１１ｂに係合し且つ第１係合片１２ａが第１縁１１１ａに係合した状態で、一方の端の第２係合片１２ｂ及び一方の端の第１係合片１２ａの少なくとも一方がフレーム１１０の第３縁１１１ｃに当接し、且つ他方の端の第２係合片１２ｂ２及び他方の端の第１係合片１２ａの少なくとも一方がフレーム１１０の第４縁１１１ｄに当接する。
【００７０】
３）第２係合片１２ｂが一つであり、且つ第１係合片１２ａが一つである。この場合、第２係合片１２ｂが第２縁１１１ｂに係合し且つ第１係合片１２ａが第１縁１１１ａに係合した状態で、第２係合片１２ｂ及び第１係合片１２ａの少なくとも一方がフレーム１１０の第３縁１１１ｃに当接し、且つ第２係合片１２ｂ及び第１係合片１２ａの少なくとも一方がフレーム１１０の第４縁１１１ｄに当接する。
【００７１】
蓋１０は、ハンドル１３を更に備えた構成とすることが可能である。ハンドル１３は、蓋本体１１の第２面に固定されている。ハンドル１３は、蓋本体１１の第２面に沿う第１位置から蓋本体１１の第２面に対して略直角な第２位置にかけて回動可能であってもよい。ハンドル１３は第２位置で位置固定されるロック機構を備えていてもよい。又は、ハンドル１３は、蓋本体１１の第２面に着脱自在に取り付けられていても良い。上記ハンドル１３が使用者に把持されることによって、蓋１０の持ち運びが容易になる。なお、ハンドル１３は省略可能である。
【００７２】
蓋１０は、係合手段１４を更に備えた構成とすることが可能である。この係合手段１４は、以下の１）〜３）の何れかの構成とすることが可能である。１）係合手段１４は、図３Ａ〜図７Ｂに示されるようなフックである。この場合、係合手段１４は、フレーム１１０又はバーベキューグリルＧの後記するグリル本体２００に設けられた略Ｕ字状の係合部又は係合孔に係合可能であると良い。２）係合手段１４は、係合孔を有するブロックとすることが可能である。３）係合手段１４は、蓋本体１１設けられた係合孔とすることが可能である。２）及び３）の何れの場合であっても、フレーム１１０又はグリル本体２００に設けられたフック等に係合手段１４を係合させると良い。このようにすれば、蓋１０がフレーム１１０の開口１１１を閉塞していないときに、蓋１０をフレーム１１０又はグリル本体２００に保持させることができる。なお、係合手段１４は省略可能である。
【００７３】
バーベキューグリルＧは、グリル本体２００と、焼き網又は調理板３００と、脚部４００とを備えている。グリル本体２００及び焼き網又は調理板３００の少なくとも一方上に、上記した何れかの態様の調理カバー１００を載置可能になっている。
【００７４】
グリル本体２００は、熱源を収容保持する構成であればと良い。熱源は、例えば、炭又は薪等の固形燃料、ガスバーナー又は電熱器等である。グリル本体２００は、グリルフレーム２１０を有する構成とすることが可能である。グリルフレーム２１０は、耐熱性を有する上側開口の箱体又は耐熱性を有する筒体とすることが可能である。筒体は、上側開口及び下側開口を有している。図１Ａ〜図２では、グリルフレーム２１０は、下向き四角錐台の側面形状を有する筒である。グリルフレーム２１０が筒体である場合、フレーム１１０と同様に分解可能又は折り畳み可能な構成としても良い。グリルフレーム２１０には、グリルフレーム２１０内に炭や薪などの加熱燃料（バーベキューグリルＧの熱源）を出し入れするための開口２１１が設けられていても良い。なお、開口２１１は省略可能である。
【００７５】
グリルフレーム２１０が筒体である場合、グリル本体２００は、グリルフレーム２１０の下端部内に支持される炭受け部２２０を有していると良い。炭受け部２２０は、矩形状の金属製の網又は板である。炭受け部２２０の外形は、グリルフレーム２１０の下側開口の形よりも若干大きい。炭受け部２２０がグリルフレーム２１０内に挿入され、当該グリルフレーム２１０の下端部に支持されている。炭受け部２２０上にグリルフレーム２１０の開口２１１又はグリルフレーム２１０の上側開口から挿入された加熱燃料が載置される。
【００７６】
焼き網又は調理板３００は、グリルフレーム２１０の上側開口の縁部に支持されている。調理板は、鉄板、銅板、岩盤プレート、溶岩プレート、カーボンプレート等である。焼き網又は調理板３００の外形寸法は、グリルフレーム２１０の上側開口の縁部の外形寸法よりも大きい、略同じ又は若干小さい。焼き網又は調理板３００上に調理カバー１００の開口１１１から挿入された食材が載置可能である。焼き網又は調理板３００上に図示しないプレートを載置し、当該プレート上に食材を載置することも可能である。なお、焼き網又は調理板３００の食材周りの部分に加熱燃料を配置することも可能である。
【００７７】
脚部４００は、グリル本体２００を中空で支持するものであれば良い。例えば、脚部４００は、以下の１）〜３）の何れかの構成とすることが可能である。１）脚部４００は、図１Ａ及び図１Ｂに示されるように、グリル本体２００のグリルフレーム２１０が嵌合する環状体とすることが可能である。２）脚部４００は、グリル本体２００のグリルフレーム２１０の外面に固定された複数本の脚を有する構成とすることが可能である。３）脚部４００は、グリル本体２００のグリルフレーム２１０が嵌合する環状体と、この環状体を中空で支持する複数の脚部とを有する構成とすることが可能である。
【００７８】
脚部４００は、図示しない一対の係合部を更に有する構成とすることが可能である。この場合、バーベキューグリルＧは、受け皿５００と、一対のフック６００とを更に備えていても良い。フック６００は、脚部４００の係合部に各々係合されている。フック６００には、受け皿５００が連結されている。換言すると、フック６００が炭受け部２２０の下側で受け皿５００を中空支持している。炭受け部２２０から落下した灰等が受け皿５００によって受けられる。
【００７９】
以下、図１Ａ〜図７Ｂに示される蓋１０を、図１Ａ〜図２に示される調理カバー１００のフレーム１１０に取り付ける手順について詳しく説明する。バーベキューグリルＧ上にセットされた調理カバー１００を用意する。そして、蓋１０を用意する。使用者が蓋１０のハンドル１３を把持し、蓋１０の第１係合片１２ａと蓋本体１１の第１端部１１ａとの間に、調理カバー１００のフレーム１１０の開口１１１の第１縁１１１ａを挿入する。すると、第１係合片１２ａの自由端部が蓋本体１１から離れる方向に弾性変形する。これにより、第１縁１１１ａが第１係合片１２ａの自由端部と蓋本体１１の第１端部１１ａとの間で弾性的に挟持される。次に、蓋１０の第２係合片１２ｂと蓋本体１１の第２端部１１ｂとの間に、フレーム１１０の開口１１１の第２縁１１１ｂを挿入する。すると、第２係合片１２ｂの自由端部が蓋本体１１から離れる方向に弾性変形する。これにより、第２縁１１１ｂが第２係合片１２ｂの自由端部と蓋本体１１の第２端部１１ｂとの間で弾性的に挟持される。このようにして蓋１０がフレーム１１０に取り付けられる。なお、第２縁１１１ｂを第２係合片１２ｂと蓋本体１１の第２端部１１ｂとの間に挟持させた後、第１縁１１１ａを第１係合片１２ａと蓋本体１１の第１端部１１ａとの間に挟持させても良い。図８に示される蓋１０も、図１Ａ〜図７Ｂに示される蓋１０と同様にフレーム１１０に取り付けることができる。図９に示される蓋１０は、第１縁１１１ａを、第１係合片１２ａと蓋本体１１の第１端部１１ａとの間ではなく、第１係合片１２ａの自由端部と固定端部との間に挿入すれば良く、第２縁１１１ｂを、第２係合片１２ｂと蓋本体１１の第２端部１１ｂとの間ではなく、第２係合片１２ｂの自由端部と固定端部との間に挿入すれば良い。
【００８０】
以下、図１Ａ〜図７Ｂに示される蓋１０を、図１Ａ〜図２に示される調理カバー１００のフレーム１１０から取り外す手順について詳しく説明する。使用者が蓋１０のハンドル１３を把持し、蓋１０の第２係合片１２ｂと蓋本体１１の第２端部１１ｂとの間から、フレーム１１０の第２縁１１１ｂが脱するように、蓋１０を移動させる。第２係合片１２ｂと蓋本体１１の第２端部１１ｂとの間から、フレーム１１０の第２縁１１１ｂが脱すると、第２係合片１２ｂの自由端部が元の状態に復元する。次に、蓋１０の第１係合片１２ａと蓋本体１１の第１端部１１ａとの間から、フレーム１１０の第１縁１１１ａが脱するように、蓋１０を移動させる。第１係合片１２ａと蓋本体１１の第１端部１１ａとの間から、フレーム１１０の第１縁１１１ａが脱すると、第１係合片１２ａの自由端部が元の状態に復元する。このようにして蓋１０がフレーム１１０から取り外される。なお、蓋１０の第１係合片１２ａと蓋本体１１の第１端部１１ａとの間から、フレーム１１０の第１縁１１１ａを脱した後に、第２係合片１２ｂと蓋本体１１の第２端部１１ｂとの間から、フレーム１１０の第２縁１１１ｂを脱するようにしても良い。図８に示される蓋１０も、図１Ａ〜図７Ｂに示される蓋１０と同様にフレーム１１０から取り外すことができる。図９に示される蓋１０は、第１縁１１１ａを、第１係合片１２ａと蓋本体１１の第１端部１１ａとの間からではなく、第１係合片１２ａの自由端部と固定端部との間から脱すれば良く、第２縁１１１ｂを、第２係合片１２ｂと蓋本体１１の第２端部１１ｂとの間からではなく、第２係合片１２ｂの自由端部と固定端部との間から脱すれば良い。
【００８１】
以下、フレーム１１０に取り付けられた蓋１０をフレーム１１０に対してスライドさせる手順について詳しく説明する。使用者が蓋１０のハンドル１３を把持し、第１方向の一方に蓋１０移動させる。すると、フレーム１１０の第１縁１１１ａが、片持ち梁状の第１係合片１２ａと蓋本体１１の第１端部１１ａとの間又はフックである第１係合片１２ａの自由端部と固定端部との間を第１方向に沿って蓋１０に対して相対的に移動すると共に、フレーム１１０の第２縁１１１ｂが、片持ち梁状の第２係合片１２ｂと蓋本体１１の第２端部１１ｂとの間又はフックである第２係合片１２ｂの自由端部と固定端部との間を第１方向に沿って蓋１０に対して相対的に移動する。その後、１）〜３）の何れかの通りとなる。１）第２係合片１２ｂが複数であり且つ第１係合片１２ａが一つである場合、一方の端の第２係合片１２ｂ１及び第１係合片１２ａの少なくとも一方がフレーム１１０の第３縁１１１ｃに当接し、蓋本体１１がフレーム１１０の開口１１１を第１方向の他方側で部分的に開放する。２）第２係合片１２ｂが複数であり且つ第１係合片１２ａが複数である場合、一方の端の第２係合片１２ｂ１及び一方の端の第１係合片１２ａの少なくとも一方がフレーム１１０の第３縁１１１ｃに当接し、蓋本体１１がフレーム１１０の開口１１１を第１方向の他方側で部分的に開放する。３）第２係合片１２ｂが一つであり且つ第１係合片１２ａが一つである場合、第２係合片１２ｂ及び第１係合片１２ａの少なくとも一方がフレーム１１０の第３縁１１１ｃに当接し、蓋本体１１がフレーム１１０の開口１１１を第１方向の他方側で部分的に開放する。このように部分的に開放された開口１１１からフレーム１１０内を覗き、食材の調理状態等を確認できる。また、開口１１１を部分的に開放することで、調理カバー１００内の温度を低下させることができる。
【００８２】
以上のようなオーブンＯ及び蓋１０は、以下の技術的特徴を有している。蓋１０は、上記の通り、フレーム１１０の開口１１１を閉塞するためにフレーム１１０に容易に取り付けることができ、且つ開口１１１を開放するためにフレーム１１０から容易に取り外したりすることができる。
【００８３】
第１係合片１２ａ及び第２係合片１２ｂが片持ち梁状である場合、以下の通り、蓋１０のフレーム１１０に対する取り付け及び取り外しが更に容易になる。蓋本体１１の第１端部１１ａと第１係合片１２ａとの間にフレーム１１０の第１縁１１１ａを挿入し、蓋本体１１の第２端部１１ｂと第２係合片１２ｂとの間にフレーム１１０の第２縁１１１ｂを挿入するだけで、第１縁１１１ａが蓋本体１１の第１端部１１ａと第１係合片１２ａとに挟持され、第２縁１１１ｂが蓋本体１１の第２端部１１ｂと第２係合片１２ｂとに挟持される。このように蓋１０がフレーム１１０に簡単に取り付けられる。蓋本体１１の第１端部１１ａと第１係合片１２ａとの間から第１縁１１１ａを抜き、蓋本体１１の第２端部１１ｂと第２係合片１２ｂとの間から第２縁１１１ｂを抜くだけで、蓋がフレームから簡単に取り外される。
【００８４】
第１係合片１２ａ及び第２係合片１２ｂがフックである場合、以下の通り、蓋１０のフレーム１１０に対する取り付け及び取り外しが更に容易になる。第１係合片１２ａの自由端部と固定端部との間にフレーム１１０の第１縁１１１ａを挿入し、第２係合片１２ｂの自由端部と固定端部との間にフレーム１１０の第２縁１１１ｂを挿入するだけで、第１縁１１１ａが第１係合片１２ａの自由端部と固定端部との間で挟持され、第２縁１１１ｂが第２係合片１２ｂ自由端部と固定端部との間で挟持される。このように蓋１０をフレーム１１０に簡単に取り付けることができる。第１係合片１２ａの自由端部と固定端部との間から第１縁１１１ａを抜き、第２係合片１２ｂ自由端部と固定端部との間から第２縁１１１ｂを抜くだけで、蓋１０がフレーム１１０から簡単に取り外される。
【００８５】
第１係合片１２ａの自由端部が蓋本体１１の第１端部１１ａから突出し且つ第２係合片１２ｂの自由端部が蓋本体１１の第２端部１１ｂから突出している場合、以下の通り、蓋１０のフレーム１１０に対する取り付けが更に容易になる。第１係合片１２ａの自由端部にフレーム１１０の第１縁１１１ａを引っ掛け、片持ち梁状の第１係合片１２ａと蓋本体１１との間又はフックである第１係合片１２ａの自由端部と固定端部との間に第１縁１１１ａを挿入することができ、第２係合片１２ｂの自由端部にフレーム１１０の第２縁１１１ｂを引っ掛け、片持ち梁状の第２係合片１２ｂと蓋本体１１との間又はフックである第２係合片１２ｂの自由端部と固定端部との間に第２縁１１１ｂを挿入することができる。
【００８６】
第１係合片１２ａの自由端部の突出量が第２係合片１２ｂの自由端部の突出量よりも大きい場合、以下の通り、蓋１０のフレーム１１０に対する取り付け及び取り外しが更に容易になる。第１係合片１２ａの自由端部にフレーム１１０の第１縁１１１ａを引っ掛け、片持ち梁状の第１係合片１２ａと蓋本体１１との間又はフックである第１係合片１２ａの自由端部と固定端部との間に第１縁１１１ａを挿入した後、第２縁１１１ｂを片持ち梁状の第２係合片１２ｂと蓋本体１１との間又はフックである第２係合片１２ｂの自由端部と固定端部との間に挿入するときに、第２係合片１２ｂの自由端部が邪魔になりにくい。第２縁１１１ｂを片持ち梁状の第２係合片１２ｂと蓋本体１１との間又はフックである第２係合片１２ｂの自由端部と固定端部との間から抜くときに、第２係合片１２ｂの自由端部が邪魔になりにくい。
【００８７】
第１係合片１２ａ及び第２係合片１２ｂの少なくとも一方の係合片は、当該一方の係合片の自由端部が蓋本体１１から離れるように弾性変形可能である場合、以下の通り、蓋１０のフレーム１１０に対する取り付け及び取り外しが更に容易になる。片持ち梁状の一方の係合片の自由端部と蓋本体１１との間又はフックである一方の係合片の自由端部と固定端部との間に、フレーム１１０の第１縁１１１ａ及び第２縁１１１ｂの一方の縁を挿脱するときに、当該一方の係合片が弾性変形し、その自由端部が蓋本体１１から離れるため、一方の縁を一方の係合片と蓋本体との間又は一方の係合片の自由端部と固定端部との間に挿脱し易くなる。
【００８８】
なお、本発明のオーブン用の蓋及びオーブンは、上記実施例に限定されるものではなく、特許請求の範囲の記載範囲において任意に設計変更することが可能である。以下、詳しく述べる。
【００８９】
本発明の蓋の第１係合片は、上記した何れかの態様のフレームの第１縁に設けられた係合孔に係合可能な構成とすることが可能である。本発明の蓋の第２係合片は、上記した何れかの態様のフレームの第２縁に設けられた係合孔に係合可能な構成とすることが可能である。
【００９０】
本発明の蓋は、オーブンの食材を出し入れするための開口１１１だけでなく、固形燃料を出し入れするための開口２１１を閉塞する構成とすることが可能である。この場合、開口２１１を有するグリルフレーム２１０が、特許請求の範囲のフレームとなる。
【００９１】
本発明のバーベキューグリルは、上記した何れかの態様の調理カバーを支持し得るものである限り任意に設計変更することが可能である。
【００９２】
なお、上記実施例及び設計変形例におけるオーブン用の蓋及びオーブンの各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。本発明の第１方向は、本発明のフレームの開口の第２縁の長手方向である限り任意に設定可能である。
【符号の説明】
【００９３】
Ｏ：オーブン
１００：調理カバー
１１０：フレーム
１１１：開口
１１１ａ：第１縁
１１１ｂ：第２縁
１１１ｃ：第３縁
１１１ｄ：第４縁
１２０：天板
１０：蓋
１１：蓋本体
１１ａ：第１端部
１１ｂ：第２端部
１１ｃ：第３端部
１１ｄ：第４端部
１２ａ：第１係合片
１２ｂ：第２係合片
１３：ハンドル
１４：係合手段
Ｇ：バーベキューグリル
２００：グリル本体
２１０：グリルフレーム
２１１：開口
２２０：炭受け部
３００：焼き網又は調理板
４００：脚部
５００：受け皿
６００：フック
【図１Ａ】
2018021728.tif 000003
【図１Ｂ】
2018021728.tif 000004
【図２】
2018021728.tif 000005
【図３Ａ】
2018021728.tif 000006
【図３Ｂ】
2018021728.tif 000007
【図４Ａ】
2018021728.tif 000008
【図４Ｂ】
2018021728.tif 000009
【図５Ａ】
2018021728.tif 000010
【図５Ｂ】
2018021728.tif 000011
【図６Ａ】
2018021728.tif 000012
【図６Ｂ】
2018021728.tif 000013
【図７Ａ】
2018021728.tif 000014
【図７Ｂ】
2018021728.tif 000015
【図８】
2018021728.tif 000016
【図９】
2018021728.tif 000017